(57)【要約】【課題】本考案は一個の身飾品を、用途の異なる複数の身飾品として兼用し、多用途に使用できる着脱式身飾品部品セットを設け、その活用範囲を広げて利便性を向上する。【解決手段】本考案は身飾品本体６に、希望する用途それぞれに対応する止具１０を備えた差込部品８を係脱する受け部品１を取付け、身飾品を着用する際に希望する用途に対応する止具１０を設けた差込部品８を選択して、身飾品本体６に取付けた受け部品１に係止自在とし、差込部品８を取替えて使用することにより一個の身飾品を用途の異なる複数の身飾品として兼用して使用することを可能にして利便性を高め、時間的負担、労働的負担、経済的負担を軽減することに役立つ。【選択図】図１
0003125614.tif 000002
【実用新案登録請求の範囲】
【請求項１】
身飾品本体（６）に固定して取付ける受け部品（１）と、止具（１０）を備えた差込部品（８）からなる身飾品部品セットであって、この受け部品（１）にはその平板状の基盤に断面Ｕ字状のアーム（２）が一体化形成されていて、このアーム（２）には断面Ｕ字状の内側に向いた半円球状の係止突起（３）が一個または複数個設けられ、もう一方の差込部品（８）にはその平板状の基盤に上記の身飾品本体（６）の用途、寸法、形状に応じた止具（１０）が設けられ、さらにこの平板状の基盤に受け部品（１）の半円球状突起（３）に対応する係止穴（７）が一個または複数個設けられていて、上記の半円球状係止突起（３）に、差込部品（８）の係止穴（７）を係脱することで、身飾品本体（６）に差込部品（８）を係止自在となされていることを特徴とする着脱式身飾品部品セット。
【考案の詳細な説明】
【技術分野】
【０００１】  本考案は、身飾品本体６に固定して取付ける受け部品１と、この受け部品１に係止、係脱自在の、止具１０を備えた差込部品８を設けた着脱式身飾品部品セットに関するものである。
【背景技術】
【０００２】  ブローチ、ペンダント、指輪などの身飾品を着用する場合、当然の事ながらブローチにはブローチとして使用する為の、ペンダントにはペンダントとして使用する為の、指輪には指輪として使用する為のそれぞれの部品が一定且つ固定されているために、ブローチをかんざし、指輪として、ペンダントを髪止め、帯飾りとして、又指輪をブローチ、ヘアーピンとして着用用途の異なる複数の身飾品に兼用することが出来なかった。
【考案の開示】
【考案が解決しようとする課題】
【０００３】  一個の身飾品を、複数の用途に兼用することは出来ず、着用用途ごとに好みの身飾品を探し求めるための移動は時間的、労働的負担であり、また、その全てを購入することは経済的負担も大きい。従って、着用用途に応じた止具を取付けた差込部品を係脱して取替え使用することにより、一個の身飾品を多用途の身飾品として兼用することが可能になり前述の欠点を解決しようとするものである。
【課題を解決するための手段】
【０００４】本考案の着脱式身飾品部品セットは、身飾品本体６に固定して取付ける受け部品１と、止具１０を備えた差込部品８からなる身飾品部品セットであって、この受け部品１にはその平板状の基盤に断面Ｕ字状のアーム２が一体化形成されていて、このアーム２には断面Ｕ字状の内側に向いた半円球状の係止突起３が一個または複数個設けられ、もう一方の差込部品８にはその平板状の基盤に上記の身飾品本体６の用途、寸法、形状に応じた止具１０が設けられ、さらにこの平板状の基盤に受け部品１の半円球状突起３に対応する係止穴７が一個または複数個設けられていて、上記の半円球状係止突起３に、差込部品８の係止穴７を係脱することで、身飾品本体６に差込部品８を係止自在とし、身飾品を着用する際に希望する用途に応じた止具１０を設けた差込部品８を選択し、身飾品本体６に取付けた受け金具１に係止自在とすることにより問題点を解決している。【０００５】  本考案でいう身飾品本体６とは、例えばブローチ、帯飾り、ペンダント、指輪など衣服や指などの身体を飾るもの、かんざし、櫛、ヘアピン、髪止め、ヘアバンドなどの頭飾品などが挙げられる。【０００６】  本考案でいう止具１０とは、身飾品の用途、寸法、形状に応じて用いられるものであって、例えばクリップ、バネ、ピン、リングなどが挙げられる。
【考案の効果】
【０００７】  上述の様に、本考案の着脱式身飾品部品セットは、身飾品本体６に差込部品８を係脱する受け部品１を取付けることにより、希望する用途それぞれに応じた止具１０を設けた差込部品８を選択して受け部品１に取替えて係止することで、一個の身飾品を用途の異なる複数の身飾品として兼用することが出来、しかも今後、新たな用途の身飾品が生産、販売されても、その用途に対応する止具１０を設けた差込部品８を随時追加製造すれば対処することができるので、必要な時に、必要な差込部品８を選択して購入することで、経済的負担をはじめ時間的、労働的負担も軽減し、多用途に使用することが可能になり利便性を高めることに役立つ。
【考案を実施するための最良の形態】
【０００８】  受け部品１にはその平板状の基盤に断面Ｕ字状のアーム２が一体化形成されていて、このアーム２に断面Ｕ字状の内側に向いた半円球状の係止突起３を一個又は複数個設け、もう一方の差込部品８にはその平板状の基盤に上記の身飾品本体６の用途、寸法、形状に応じた止具１０を設け、さらにこの平板状の基盤に受け部品１の半円球状突起３に対応する係止穴７を設けて、身飾品本体６に取付けた受け部品１のアーム２の半円球状の係止突起３に、差込部品８の係止穴７を係脱することで、身飾品本体６に差込部品８が係止自在となる。
【実施例】
【０００９】  以下、添付図面に従って一実施例を説明する。図１−１は本考案の受け部品の一例を示す図である。受け部品１は剛性、耐久性を有するりん青銅で作られた平板状基盤に、同じくりん青銅の断面Ｕ字状のアーム２とそのアーム２の断面Ｕ字状内側に突出した半円球状の係止突起３が２個設けられている。このアーム２と半円球状の係止突起３の断面形状を図１−３に示した。
図１−２は本考案の差込部品の一例を示す図で、真鍮の平板状基盤に止具１０としてブローチピンを用いた一例である。差込部品８にはその平板状基盤を、受け部品１のアーム２に差込んだときに、係止突起３に対応する係止穴７が２個設けられていて、この差込部品８を身飾品本体６に取付けた受け金具１に係脱することにより、差込部品８が身飾品本体６に係止自在となる。
図２は上記差込部品８の他の実施例を示す図である。この例は身飾品本体６を頭飾品として用いる一例であって、止具１０が髪に止めるヘアーピンとなっている。
図３は図１−１の受け部品１を固定穴４でビス５を使って身飾品本体６に固定して取付けた状態を示す図である。【００１０】  りん青銅で一体化形成された受け部品１のアーム２の剛性は、身飾品着用に充分な係止力を発揮し、係止突起３の半円球状との組合せによって、差込部品８の係脱双方の作業を平易にすることにも有効に機能し、耐久性も高い。【００１１】  本考案の一実施例は上述の如き構成からなるものであるから、希望する用途それぞれに対応する止具１０を設けた差込部品８を選択して受け部品１に取替えて係脱することにより、一個の身飾品を用途の異なる複数の身飾品として兼用して使用することが可能となる。また今後、新たな用途の身飾品が生産、販売されても、その用途に対応する止具１０を設けた差込部品８を随時追加製造すれば対処することができる。
【図面の簡単な説明】
【００１２】
【図１】−１本考案の受け部品の一例を示す説明図。−２本考案の差込部品の一例を示す説明図。−３本考案の受け部品の一例を示す断面図。
【図２】本考案の差込部品の他の一例を示す説明図。
【図３】図１−１の受け部品を身飾品本体に固定して取付けた状態を示す説明図。
【符号の説明】
【００１３】  １  受け部品
２  アーム
３  係止突起
４  固定穴
５  ビス
６  身飾品本体
７  係止穴
８  差込部品
１０  着用用途に対応する部品
【図１】
0003125614.tif 000003
【図２】
0003125614.tif 000004
【図３】
0003125614.tif 000005